(57)【要約】【課題】カラオケ歌唱にフライダウン歌唱が含まれるかどうかを判定することが可能なカラオケ装置を提供する。【解決手段】カラオケ楽曲の歌唱により得られた歌唱音声信号から、所定区間毎に歌唱ピッチを検出する歌唱ピッチ検出部、検出した複数の歌唱ピッチを含む区間の中に、連続する２つの歌唱ピッチのピッチ差が所定範囲内である区間が所定数以上連続する水平区間と、当該水平区間よりも前の区間であって、あるノートの基準ピッチよりも高い歌唱ピッチから水平区間の開始時の歌唱ピッチまで、所定の条件で歌唱ピッチが下降する下降区間と、が存在する場合、あるノートに対するフライダウン歌唱が行われていると判定するフライダウン歌唱判定部、を有するカラオケ装置。【選択図】図３
2020122949.tif 000002
【特許請求の範囲】
【請求項１】
カラオケ楽曲の歌唱により得られた歌唱音声信号から、所定区間毎に歌唱ピッチを検出する歌唱ピッチ検出部と、
検出した複数の前記歌唱ピッチを含む区間の中に、連続する２つの歌唱ピッチのピッチ差が所定範囲内である区間が所定数以上連続する水平区間と、当該水平区間よりも前の区間であって、あるノートの基準ピッチよりも高い歌唱ピッチから前記水平区間の開始時の歌唱ピッチまで、所定の条件で歌唱ピッチが下降する下降区間と、が存在する場合、前記あるノートに対するフライダウン歌唱が行われていると判定するフライダウン歌唱判定部と、
を有するカラオケ装置。
【請求項２】
前記フライダウン歌唱判定部は、
前記あるノートの発音開始タイミング近傍において検出した歌唱ピッチのうち、当該あるノートの基準ピッチとのピッチ差が第１の所定範囲内である歌唱ピッチを開始時の歌唱ピッチとし、当該開始時の歌唱ピッチよりも後に検出した歌唱ピッチのうち、当該開始時の歌唱ピッチとのピッチ差が最初に第１の所定値より小さくなる歌唱ピッチを終了時の歌唱ピッチとする下降区間候補を特定し、
前記終了時の歌唱ピッチ以降に検出した歌唱ピッチが含まれる区間の中で、連続する２つの歌唱ピッチのピッチ差が、第２の所定範囲内であり、且つ所定数以上連続する区間を前記水平区間として特定し、
前記下降区間候補の開始時の歌唱ピッチから前記水平区間の開始時の歌唱ピッチまでの間に、連続する２つの歌唱ピッチのピッチ差のうち少なくとも一つが第２の所定値以下であり、且つ当該連続する２つの歌唱ピッチのピッチ差のうち、正の値を取るものが所定割合未満である場合、前記下降区間候補の開始時の歌唱ピッチから前記水平区間の開始時の歌唱ピッチまでを前記下降区間として特定することを特徴とする請求項１記載のカラオケ装置。
【請求項３】
前記あるノートの採点結果が不合格と判定された場合、且つ当該あるノートに対する前記フライダウン歌唱が行われていると判定された場合、当該あるノートの採点結果を合格と判定する採点処理部を有することを特徴とする請求項１または２に記載のカラオケ装置。
【発明の詳細な説明】
【技術分野】
【０００１】
本発明は、カラオケ装置に関する。
【背景技術】
【０００２】
カラオケ装置は、マイクにより入力された歌唱音声から抽出した歌唱音声データと、カラオケ演奏された楽曲の主旋律を示すリファレンスデータとを比較することにより、カラオケ歌唱の巧拙を採点する採点機能が搭載されている。
【０００３】
たとえば、特許文献１には、カラオケ演奏に合わせてマイクから入力される歌唱音声信号から音高データ及び音長データを抽出し、カラオケ演奏に並行して読み出されるガイドメロディと比較することによって歌唱の巧拙を採点評価する技術が開示されている。
【０００４】
また、歌唱者の中にはプロ歌手の歌唱を真似て、しゃくり、フォール、こぶし、シャウトなどの特殊な歌唱技法を用いて歌唱を行う者もいる。特許文献２〜５には、このような特殊な歌唱技法を検出し、歌唱を評価する技術が開示されている。
【先行技術文献】
【特許文献】
【０００５】
【特許文献１】特開平１０−６９２１６号公報
【特許文献２】特開２００５−１０７３３６号公報
【特許文献３】特開２００８−２２５１１５号公報
【特許文献４】特開２００８−２６８３７０号公報
【特許文献５】特開２０１２−０７８７０１号公報
【発明の概要】
【発明が解決しようとする課題】
【０００６】
ところで、カラオケ歌唱の表現力を高めるために用いる技法としては従来知られていないものも存在する。歌唱者がこのような技法を使用した場合、従来のカラオケ装置ではこのような技法を特定することができない。また、上手いという印象を聴衆に与える歌唱技法であるにもかかわらず、従来の評価技術では減点対象としてしまう事もあった。
【０００７】
本発明の目的は、カラオケ歌唱にフライダウン歌唱（後述）が含まれるかどうかを特定することが可能なカラオケ装置を提供することにある。
【課題を解決するための手段】
【０００８】
本発明者は、聴感上「優しい」印象を与える歌唱音声信号に含まれる歌唱ピッチを解析したところ、あるノートの基準ピッチよりも高い歌唱ピッチから、歌唱ピッチが緩やかに下降し、その後歌唱ピッチの変動が小さくなるという変化を示すことを見出した。本発明は、この発見に基づき、完成されたものであって、この歌唱独特のピッチの変化を検出することにより、この歌唱を特定することができる技術である。
【０００９】
なお、このようなカラオケ歌唱による歌唱ピッチの推移は、高い歌唱ピッチから、ノートの基準ピッチに対して舞い降りるような緩やかな軌跡になる。このようなピッチ変化を示すカラオケ歌唱を、以下「フライダウン歌唱」という。
【００１０】
具体的に、上記目的を達成するための発明は、カラオケ楽曲の歌唱により得られた歌唱音声信号から、所定区間毎に歌唱ピッチを検出する歌唱ピッチ検出部と、検出した複数の前記歌唱ピッチを含む区間の中に、連続する２つの歌唱ピッチのピッチ差が所定範囲内である区間が所定数以上連続する水平区間と、当該水平区間よりも前の区間であって、あるノートの基準ピッチよりも高い歌唱ピッチから前記水平区間の開始時の歌唱ピッチまで、所定の条件で歌唱ピッチが下降する下降区間と、が存在する場合、前記あるノートに対するフライダウン歌唱が行われていると判定するフライダウン歌唱判定部と、を有するカラオケ装置である。
本発明の他の特徴については、後述する明細書及び図面の記載により明らかにする。
【発明の効果】
【００１１】
本発明によれば、カラオケ歌唱にフライダウン歌唱が含まれるかどうかを判定することができる。
【図面の簡単な説明】
【００１２】
【図１】実施形態に係るカラオケ装置のハードウェア構成例を示す図である。
【図２】実施形態に係るカラオケ本体のソフトウェア構成例を示す図である。
【図３】実施形態に係るＬ字アクセント歌唱の判定処理を示すフローチャートである。
【図４】実施形態に係る歌唱ピッチとノートの基準ピッチとのピッチ差を示した図である。
【図５】実施形態に係る下降区間候補の開始時の歌唱ピッチとそれよりも後に検出した歌唱ピッチとのピッチ差を示した図である。
【図６】実施形態に係る連続する２つの歌唱ピッチのピッチ差を示した図である。
【図７】実施形態に係る一のノートと歌唱ピッチとの関係を示した図である。
【発明を実施するための形態】
【００１３】
＜実施形態＞
図１〜図７を参照して、実施形態に係るカラオケ装置１について説明する。
【００１４】
＝＝カラオケ装置＝＝
カラオケ装置１は、カラオケ演奏及び歌唱者がカラオケ歌唱を行うための装置である。カラオケ装置１は、歌唱者が選曲したカラオケ楽曲を予約待ち行列に登録し、順番にカラオケ演奏を行う。図１に示すように、カラオケ装置１は、カラオケ本体１０、スピーカ２０、表示装置３０、マイク４０、及びリモコン装置５０を備える。
【００１５】
スピーカ２０はカラオケ本体１０からの放音信号に基づいて放音するための構成である。表示装置３０はカラオケ本体１０からの信号に基づいて映像や画像を画面に表示するための構成である。マイク４０は歌唱者の歌唱音声（マイク４０への入力音声）をアナログの歌唱音声信号に変換してカラオケ本体１０に入力するための構成である。リモコン装置５０は、カラオケ本体１０に対する各種操作をおこなうための装置である。歌唱者はリモコン装置５０を用いて歌唱を希望するカラオケ楽曲の選曲（予約）等を行うことができる。リモコン装置５０の表示画面には各種操作の指示入力を行うためのアイコン等が表示される。
【００１６】
カラオケ本体１０は、選曲されたカラオケ楽曲の演奏制御、歌詞や背景映像等の表示制御、マイク４０を通じて入力された歌唱音声信号の処理といった、カラオケ歌唱に関する各種の制御を行う。図１に示すように、カラオケ本体１０は、制御部１１、通信部１２、記憶部１３、音響処理部１４、表示処理部１５及び操作部１６を備える。各構成はインターフェース（図示なし）を介してバスＢに接続されている。
【００１７】
制御部１１は、ＣＰＵ１１ａおよびメモリ１１ｂを備える。ＣＰＵ１１ａは、メモリ１１ｂに記憶された動作プログラムを実行することにより各種の制御機能を実現する。メモリ１１ｂは、ＣＰＵ１１ａに実行されるプログラムを記憶したり、プログラムの実行時に各種情報を一時的に記憶したりする記憶装置である。
【００１８】
通信部１２は、ルーター（図示なし）を介してカラオケ本体１０を通信回線に接続するためのインターフェースを提供する。
【００１９】
記憶部１３は、各種のデータを記憶する大容量の記憶装置であり、たとえばハードディスクドライブなどである。記憶部１３は、カラオケ装置１によりカラオケ演奏を行うための複数の楽曲データを記憶する。
【００２０】
楽曲データは、個々のカラオケ楽曲を特定するための楽曲ＩＤが付与されている。楽曲データは、伴奏データ、リファレンスデータ等を含む。伴奏データは、カラオケ演奏音の元となるデータである。伴奏データはカラオケ演奏をする際のテンポを示す情報を含む。テンポは、楽曲毎に所定の値が設定されている。リファレンスデータは、歌唱者によるカラオケ歌唱を採点する際の基準として用いられるデータである。リファレンスデータは、複数のノート（音符）から構成され、ノート毎に所定のピッチ（基準ピッチ）が設定されている。
【００２１】
また、記憶部１３は、各カラオケ楽曲に対応する歌詞を表示装置３０等に表示させるための歌詞テロップデータ、カラオケ演奏時に表示装置３０等に表示される背景画像等の背景画像データ、楽曲毎のカラオケ演奏時間を示す演奏時間データ及び楽曲の属性情報（歌手名、作詞・作曲者名、ジャンル等の当該楽曲に関する情報）を記憶する。
【００２２】
音響処理部１４は、制御部１１の制御に基づき、カラオケ楽曲に対する演奏の制御およびマイク４０を通じて入力された歌唱音声信号の処理を行う。表示処理部１５は、制御部１１の制御に基づき、表示装置３０やリモコン装置５０における各種表示に関する処理を行う。たとえば、表示処理部１５は、カラオケ楽曲の演奏時における背景映像に歌詞テロップや各種アイコンが重ねられた映像を表示装置３０に表示させる制御を行う。或いは、表示処理部１５は、リモコン装置５０の表示画面に操作入力用の各種アイコンを表示させる。操作部１６は、パネルスイッチおよびリモコン受信回路などからなり、歌唱者によるカラオケ装置１のパネルスイッチあるいはリモコン装置５０の操作に応じて選曲信号、演奏中止信号などの操作信号を制御部１１に対して出力する。制御部１１は、操作部１６からの操作信号を検出し、対応する処理を実行する。
【００２３】
（ソフトウェア構成）
図２はカラオケ本体１０のソフトウェア構成例を示す図である。カラオケ本体１０は、歌唱ピッチ検出部１００、フライダウン歌唱判定部２００、提示部３００、及び採点処理部４００を備える。歌唱ピッチ検出部１００、フライダウン歌唱判定部２００、提示部３００、及び採点処理部４００は、ＣＰＵ１１ａがメモリ１１ｂに記憶されるプログラムを実行することにより実現される。
【００２４】
［歌唱ピッチ検出部］
歌唱ピッチ検出部１００は、カラオケ楽曲の歌唱により得られた歌唱音声信号から、所定区間毎に歌唱ピッチを検出する。
【００２５】
具体的に、歌唱ピッチ検出部１００は、歌唱音声信号を解析し、歌唱ピッチを検出する。歌唱ピッチは、所定時間長（たとえば１０〜２０ｍｓｅｃ）のフレーム単位で１サンプルずつ時系列に検出する。たとえば、所定時間長が２０ｍｓｅｃの場合、２０ｍｓｅｃのフレームが、歌唱ピッチ検出における所定区間に相当する。歌唱ピッチ検出部１００は、検出した歌唱ピッチを、フライダウン歌唱判定部２００に順次出力する。なお、歌唱ピッチの検出は、カラオケ楽曲の歌唱に伴って順次行ってもよいし、一のカラオケ楽曲の歌唱が全て終了した後にまとめて行ってもよい。
【００２６】
［フライダウン歌唱判定部］
フライダウン歌唱判定部２００は、検出した複数の歌唱ピッチを含む区間の中に、水平区間及び下降区間が存在する場合、あるノートに対するフライダウン歌唱が行われていると判定する。
【００２７】
水平区間は、連続する２つの歌唱ピッチのピッチ差が所定範囲内であり、且つ所定数以上連続する区間である。所定範囲は、水平区間を特定するにあたり、許容可能な連続する２つの歌唱ピッチのずれの幅である。所定数は、水平区間を特定するにあたり、最低限必要な、所定範囲内に含まれるピッチ差の歌唱ピッチが連続する数である。所定範囲及び所定数は、特定するフライダウン歌唱の程度に応じて、予め任意の値が設定されている。たとえば、所定範囲は±１ｃｅｎｔ〜±６ｃｅｎｔであり、所定数は３〜５である。
【００２８】
下降区間は、水平区間よりも前の区間であって、あるノートの基準ピッチよりも高い歌唱ピッチから水平区間の開始時の歌唱ピッチまで、所定の条件で歌唱ピッチが下降する区間である。所定の条件は、下降区間を特定するための条件である。所定の条件は、特定するフライダウン歌唱の程度に応じて、予め任意の条件が設定されている（詳細は後述）。
【００２９】
ここで、図３〜図７を参照して、フライダウン歌唱の判定処理について詳細に説明を行う。図３は、フライダウン歌唱の判定処理を示すフローチャートである。図４は、カラオケ楽曲Ｘのリファレンスデータに設定されているノートＮの基準ピッチＢＰと、カラオケ楽曲Ｘの歌唱により得られた歌唱音声信号を解析して検出された所定区間毎の歌唱ピッチとのピッチ差を示した図である。図５は、下降区間候補（後述）の歌唱ピッチと、それよりも後に検出した歌唱ピッチとのピッチ差を示した図である。図６は、カラオケ楽曲Ｘの歌唱により得られた歌唱音声信号を解析して検出された所定区間毎の歌唱ピッチについて、連続する２つの歌唱ピッチのピッチ差を示した図である。図７は、フライダウン歌唱の歌唱ピッチの推移を示した図である。図７における縦軸は歌唱ピッチを示し、横軸は時刻を示すが、横軸は連続する時間長（たとえば２０ｍｓｅｃ）の所定区間と解してもよく所定区間毎に歌唱ピッチが検出される。開始時刻ＴｓはノートＮの発音開始タイミングであり、終了時刻ＴｅはノートＮの発音終了タイミングである。ノートの発音開始タイミングは、カラオケ楽曲の演奏開始時点を０とした場合の、当該ノートまでの経過時間に相当する。
【００３０】
以下の説明において、ノートＮに対するフライダウン歌唱が行われているかどうかを判定する際に用いる最初の歌唱ピッチＰ（１）は、ノートＮの発音開始タイミングよりも１０サンプル前に検出された歌唱ピッチ（ノートＮよりも前のノートＮ−１の時点で検出された歌唱ピッチ）であるとする。この歌唱ピッチＰ（１）は、ノートＮの発音開始タイミング近傍において検出した歌唱ピッチに相当する。
【００３１】
また、以下の説明において、ピッチ差はｃｅｎｔ値で示す。なお、ｃｅｎｔ値は相対値であるが、以下の説明においては歌唱ピッチを絶対値として表現するために、音階Ｃ４（周波数２６１．６２６Ｈｚ）を６０００ｃｅｎｔと定義する。
【００３２】
まず、フライダウン歌唱判定部２００は、あるノートの発音開始タイミング近傍において検出した歌唱ピッチのうち、当該あるノートの基準ピッチとのピッチ差が第１の所定範囲内である歌唱ピッチを下降区間候補の開始時の歌唱ピッチとして特定する（下降区間候補の開始時の歌唱ピッチを特定。ステップ１０）。
【００３３】
具体的に、フライダウン歌唱判定部２００は、ノートＮの発音開始タイミング近傍において検出された歌唱ピッチと、ノートＮの基準ピッチＢＰとのピッチ差を求め、当該ピッチ差が第１の所定範囲内であるかどうかを判断する。歌唱ピッチＰ（ｎ）とノートＮの基準ピッチＢＰとのピッチ差ＢＰｄ（ｎ）は、「Ｐ（ｎ）−ＢＰ」で算出される。第１の所定範囲は、判定するフライダウン歌唱の程度に応じて、予め任意の値が設定されている。たとえば、第１の所定範囲は、５０ｃｅｎｔ〜３００ｃｅｎｔである。本実施形態において第１の所定範囲は「１００ｃｅｎｔ〜２００ｃｅｎｔ」であるとする。第１の所定範囲は「所定の条件」の一部である。なお、ノートＮに対してフライダウン歌唱が行われているかどうかを判定する場合、ノートＮ−１の時点で検出した歌唱ピッチであっても、ノートＮの基準ピッチとの差を求める。
【００３４】
図４の例によると、歌唱ピッチＰ（１）とノートＮの基準ピッチＢＰとのピッチ差ＢＰｄ（１）は、「＋３００ｃｅｎｔ」である。この場合、フライダウン歌唱判定部２００は、ピッチ差ＢＰｄ（１）が第１の所定範囲（１００ｃｅｎｔ〜２００ｃｅｎｔ）内にないと判断する。一方、歌唱ピッチＰ（１）の次に検出した歌唱ピッチＰ（２）とノートＮの基準ピッチＢＰとのピッチ差ＢＰｄ（２）は、「＋１７２ｃｅｎｔ」である。この場合、フライダウン歌唱判定部２００は、ピッチ差ＢＰｄ（２）が第１の所定範囲（１００ｃｅｎｔ〜２００ｃｅｎｔ）内であると判断する。この場合、フライダウン歌唱判定部２００は、歌唱ピッチＰ（２）を下降区間候補の開始時の歌唱ピッチとして特定する。フライダウン歌唱判定部２００は、それ以降の歌唱ピッチについて、ノートＮの基準ピッチとのピッチ差の算出を行わない。
【００３５】
次に、フライダウン歌唱判定部２００は、下降区間候補の開始時の歌唱ピッチよりも後に検出した歌唱ピッチのうち、当該下降区間候補の開始時の歌唱ピッチとのピッチ差が最初に第１の所定値より小さくなる歌唱ピッチを下降区間候補の終了時の歌唱ピッチとして特定する（下降区間候補の終了時の歌唱ピッチを特定。ステップ１１）。
【００３６】
第１の所定値は、判定するフライダウン歌唱の程度に応じて、予め任意の値が設定されている。第１の所定値はたとえば−５０〜−１５０ｃｅｎｔである。本実施形態における第１の所定値は「−１００ｃｅｎｔ」であるとする。第１の所定値は「所定の条件」の一部である。
【００３７】
上記例において、フライダウン歌唱判定部２００は、下降区間候補の開始時の歌唱ピッチとして特定した歌唱ピッチＰ（２）よりも後に検出した歌唱ピッチと、当該下降区間候補の開始時の歌唱ピッチとのピッチ差を求める。
【００３８】
図５の例によると、歌唱ピッチＰ（２）とのピッチ差が最初に−１００ｃｅｎｔより小さくなるのは、歌唱ピッチＰ（２７）である。よって、フライダウン歌唱判定部２００は、歌唱ピッチＰ（２７）を下降区間候補の終了時の歌唱ピッチとして特定する。
【００３９】
ステップ１０及びステップ１１の処理により、フライダウン歌唱判定部２００は、歌唱ピッチＰ（２）を下降区間候補の開始時の歌唱ピッチとし、歌唱ピッチＰ（２７）を下降区間候補の終了時の歌唱ピッチとする下降区間候補ＤＣを特定する（下降区間候補の特定。ステップ１２）。
【００４０】
次に、フライダウン歌唱判定部２００は、下降区間候補の終了時の歌唱ピッチ以降に検出した歌唱ピッチが含まれる区間の中で、連続する２つの歌唱ピッチのピッチ差が、第２の所定範囲内であり、且つ所定数以上連続する区間を水平区間として特定する（水平区間の特定。ステップ１３）。
【００４１】
具体的に、フライダウン歌唱判定部２００は、下降区間候補の終了時の歌唱ピッチ以降に検出した歌唱ピッチについて、連続する２つの歌唱ピッチのピッチ差を求め、当該ピッチ差が所定範囲内にあるかどうかを判断する。連続する２つの歌唱ピッチＰ（ｎ−１）、Ｐ（ｎ）のピッチ差Ｐｄ（ｎ）は、「Ｐ（ｎ）−Ｐ（ｎ−１）」で算出される。本実施形態における所定範囲は「±５ｃｅｎｔ」とする。
【００４２】
図６の例によると、下降区間候補ＤＣにおける終了時の歌唱ピッチＰ（２７）と、その次に検出した歌唱ピッチＰ（２８）とのピッチ差Ｐｄ（２７）は、「−６ｃｅｎｔ」である。この場合、フライダウン歌唱判定部２００は、ピッチ差Ｐｄ（２７）は所定範囲内にないと判断する。一方、歌唱ピッチＰ（２９）とその次に検出した歌唱ピッチＰ（３０）とのピッチ差Ｐｄ（２９）は、「−５ｃｅｎｔ」である。この場合、フライダウン歌唱判定部２００は、ピッチ差Ｐｄ（２９）は所定範囲内にあると判断する。
【００４３】
更に、フライダウン歌唱判定部２００は、検出された連続する２つの歌唱ピッチについて、順次、ピッチ差を求め、所定範囲内にあるかどうかを判断する。この際、フライダウン歌唱判定部２００は、所定範囲内にあるピッチ差が所定数以上連続するかどうかを判断する。所定数以上連続する場合、フライダウン歌唱判定部２００は、所定範囲内にあるピッチ差を求める際に用いた最初の歌唱ピッチを水平区間の開始時の歌唱ピッチとし、所定数連続した最後の歌唱ピッチを水平区間の終了時の歌唱ピッチとする。本実施形態における所定数は「３」とする。
【００４４】
図６の例によると、所定範囲（±５ｃｅｎｔ）内にあるピッチ差は、ピッチ差Ｐｄ（２９）に次いで二番目に所定範囲内にあると判断されたピッチ差Ｐｄ（３１）から、少なくともピッチ差Ｐｄ（３３）まで３つ連続している。この場合、フライダウン歌唱判定部２００は、ピッチ差Ｐｄ（３１）を求める際に用いた歌唱ピッチＰ（３１）を水平区間の開始時の歌唱ピッチとし、ピッチ差Ｐｄ（３３）を求める際に用いた歌唱ピッチＰ（３３）を水平区間の終了時の歌唱ピッチとする水平区間ＨＺを特定する。
【００４５】
更に、フライダウン歌唱判定部２００は、下降区間候補の開始時の歌唱ピッチから水平区間の開始時の歌唱ピッチまでの間に、連続する２つの歌唱ピッチのピッチ差のうち少なくとも一つが第２の所定値以下であるかどうかを判断する（ステップ１４）。
【００４６】
第２の所定値は、判定するフライダウン歌唱の程度に応じて、予め任意の値が設定されている。たとえば、第２の所定値は、−５ｃｅｎｔ〜−２０ｃｅｎｔである。本実施形態において第２の所定値は「−１０ｃｅｎｔ」であるとする。第２の所定値は「所定の条件」の一部である。
【００４７】
図６の例によると、下降区間候補の開始時の歌唱ピッチＰ（２）から水平区間の開始時の歌唱ピッチＰ（３１）までの間において、たとえば、歌唱ピッチＰ（１９）と歌唱ピッチＰ（２０）とのピッチ差Ｐｄ（１９）は−１０ｃｅｎｔ以下になる。この場合、フライダウン歌唱判定部２００は、ピッチ差Ｐｄ（１９）が第２の所定値（−１０ｃｅｎｔ）以下であると判断する。
【００４８】
次に、フライダウン歌唱判定部２００は、下降区間候補の開始時の歌唱ピッチから水平区間の開始時の歌唱ピッチまでの間において、連続する２つの歌唱ピッチのピッチ差のうち、正の値を取るものが所定割合未満であるかどうかを判断する（ステップ１５）。
【００４９】
所定割合は、判定するフライダウン歌唱の程度に応じて、予め任意の値が設定されている。たとえば、所定割合は、２０％〜３０％である。本実施形態において所定割合は「２５％」であるとする。所定割合は「所定の条件」の一部である。
【００５０】
図６の例によると、下降区間候補の開始時の歌唱ピッチＰ（２）から水平区間の開始時の歌唱ピッチＰ（３１）までの間において、全ピッチ差（２９個）のうち、正の値を取るピッチ差は７個である。つまり、正の値を取るピッチ差の割合は約２４％となる。従って、フライダウン歌唱判定部２００は、正の値を取るピッチ差が所定割合未満であると判断する。
【００５１】
この場合、フライダウン歌唱判定部２００は下降区間候補の開始時の歌唱ピッチから水平区間の開始時の歌唱ピッチまでを下降区間として特定する（下降区間の特定。ステップ１６）。上記例によれば、フライダウン歌唱判定部２００は、下降区間候補の開始時の歌唱ピッチＰ（２）を下降区間の開始時の歌唱ピッチとし、水平区間の開始時の歌唱ピッチＰ（３１）を下降区間の終了時の歌唱ピッチとする下降区間ＤＺを特定する。
【００５２】
水平区間及び下降区間が存在する場合、フライダウン歌唱判定部２００は、フライダウン歌唱が行われていると判定する（フライダウン歌唱の判定。ステップ１７）。図７は、水平区間ＨＺ及び下降区間ＤＺからなるフライダウン歌唱を示している。
【００５３】
なお、下降区間や水平区間を特定できない場合、フライダウン歌唱判定部２００は、ノートＮについてはフライダウン歌唱が行われていないと判定する。
【００５４】
［提示部］
提示部３００は、フライダウン歌唱判定部２００による判定結果を歌唱者に提示する。たとえば、ノートＮに対するフライダウン歌唱が行われたとの判定結果が入力された場合、提示部３００は、表示装置３０に表示されるノートＮに対応するガイドメロディ画像近傍にフライダウン歌唱が行われた旨のアイコンを表示させることができる。ガイドメロディ画像は、歌唱者のカラオケ歌唱を支援するために、カラオケ楽曲のメロディを画像として表示させたものである。ガイドメロディ画像の表示については公知の手法を用いることが可能である（たとえば特開２００４−２０５８１７号公報参照）。
【００５５】
なお、提示部３００は、ガイドメロディ画像と関係なく、フライダウン歌唱が行われた旨のアイコンのみを表示させることもできる。或いは、提示部３００は、フライダウン歌唱が行われた旨のアイコンを表示させる代わりにスピーカ２０を介して音声（拍手、歓声等）でフライダウン歌唱が行われた旨を報知することでもよい。
【００５６】
［採点処理部］
採点処理部４００は、カラオケ楽曲の歌唱により得られる歌唱音声信号を当該カラオケ楽曲のリファレンスデータと比較し、採点値を算出する。採点値を算出する処理は公知の手法を用いることができる。たとえば、採点処理部４００は、マイク４０から入力された歌唱音声信号に基づく歌唱ピッチと、リファレンスデータに基づく基準ピッチにより、歌唱音程の正確さについての採点処理を行う。
【００５７】
ここで、本実施形態に係る採点処理部４００は、あるノートの採点結果が不合格と判定された場合、且つ当該あるノートに対するフライダウン歌唱が行われていた場合、当該あるノートの採点結果を合格と判定する。図７に示すように、フライダウン歌唱は、ノートの基準ピッチとのずれが大きくなるため、一般的な採点処理によれば、不合格となる可能性が高い。そこで、採点処理部４００は、あるノートの採点結果が不合格となった場合であっても、フライダウン歌唱判定部２００により、当該あるノートに対してフライダウン歌唱が行われたと判定された場合には、当該あるノートを合格として判定する。
【００５８】
以上から明らかなように、本実施形態に係るカラオケ装置１は、カラオケ楽曲の歌唱により得られた歌唱音声信号から、所定区間毎に歌唱ピッチを検出する歌唱ピッチ検出部１００と、検出した複数の歌唱ピッチを含む区間の中に、連続する２つの歌唱ピッチのピッチ差が所定範囲内である区間が所定数以上連続する水平区間と、当該水平区間よりも前の区間であって、ノートＮの基準ピッチよりも高い歌唱ピッチから水平区間の開始時の歌唱ピッチまで、所定の条件で歌唱ピッチが下降する下降区間と、が存在する場合、ノートＮに対するフライダウン歌唱が行われていると判定するフライダウン歌唱判定部２００と、を有する。このようなカラオケ装置１によれば、カラオケ歌唱にフライダウン歌唱が含まれるかどうかを判定することができる。
【００５９】
より、具体的に、フライダウン歌唱判定部２００は、ノートＮの発音開始タイミング近傍において検出した歌唱ピッチのうち、ノートＮの基準ピッチとのピッチ差が第１の所定範囲内である歌唱ピッチを開始の歌唱ピッチとし、当該開始時の歌唱ピッチよりも後に検出した歌唱ピッチのうち、当該開始時の歌唱ピッチとのピッチ差が最初に第１の所定値より小さくなる歌唱ピッチを終了時の歌唱ピッチとする下降区間候補を特定し、終了時の歌唱ピッチ以降に検出した歌唱ピッチが含まれる区間の中で、連続する２つの歌唱ピッチのピッチ差が、第２の所定範囲内であり、且つ所定数以上連続する区間を水平区間として特定し、下降区間候補の開始時の歌唱ピッチから水平区間の開始時の歌唱ピッチまでの間に、連続する２つの歌唱ピッチのピッチ差のうち少なくとも一つが第２の所定値以下であり、且つ当該連続する２つの歌唱ピッチのピッチ差のうち、正の値を取るものが所定割合未満である場合、下降区間候補の開始時の歌唱ピッチから水平区間の開始時の歌唱ピッチまでを下降区間として特定する。フライダウン歌唱判定部２００がこのような処理を実行することにより、ノートＮに対するカラオケ歌唱にフライダウン歌唱が含まれるかどうかを判定することができる。
【００６０】
更に、本実施形態に係るカラオケ装置１は、ノートＮの採点結果が不合格と判定された場合、且つノートＮに対するフライダウン歌唱が行われていた場合、ノートＮの採点結果を合格と判定する採点処理部４００を有する。このようなカラオケ装置によれば、フライダウン歌唱という歌唱技法が用いられたにも関わらず、それが反映されない採点結果となることを回避できる。
【００６１】
＜その他＞
なお、上記実施形態では、ノートＮの発音開始タイミング以前に検出された歌唱ピッチを含めてフライダウン歌唱の判定を行っているが、これに限られない。たとえば、ノートＮに対してフライダウン歌唱を行う際、ノートＮの発音開始タイミング以降のタイミングからフライダウン歌唱が開始される場合がある。よって、フライダウン歌唱判定部２００は、ノートＮの発音開始タイミング以降に検出された歌唱ピッチを利用して、ノートＮに対するフライダウン歌唱の有無を判定してもよい。
【００６２】
また、上記実施形態で説明したフライダウン歌唱の判定処理等をプログラムとして提供することも可能である。たとえば、当該プログラムは、コンピューター（たとえば、カラオケ装置）に、カラオケ楽曲の歌唱により得られた歌唱音声信号から、所定区間毎に歌唱ピッチを検出させ、検出した複数の歌唱ピッチを含む区間の中に、連続する２つの歌唱ピッチのピッチ差が所定範囲内である区間が所定数以上連続する水平区間と、当該水平区間よりも前の区間であって、あるノートの基準ピッチよりも高い歌唱ピッチから水平区間の開始時の歌唱ピッチまで、所定の条件で歌唱ピッチが下降する下降区間と、が存在する場合、あるノートに対するフライダウン歌唱が行われていると判定させる。
【００６３】
また、上記プログラムが記憶された非一時的なコンピューター可読媒体（non-transitory computer readable medium with an executable program thereon）を用いて、コンピューターにプログラムを供給することも可能である。なお、非一時的なコンピューターの可読媒体の例は、磁気記録媒体（例えばフレキシブルディスク、磁気テープ、ハードディスクドライブ）、ＣＤ−ＲＯＭ（Read Only Memory）等がある。
【００６４】
上記実施形態は、例として提示したものであり、発明の範囲を限定するものではない。上記の構成は、適宜組み合わせて実施することが可能であり、発明の要旨を逸脱しない範囲で、種々の省略、置き換え、変更を行うことができる。上記実施形態やその変形は、発明の範囲や要旨に含まれると同様に、特許請求の範囲に記載された発明とその均等の範囲に含まれる。
【符号の説明】
【００６５】
１  カラオケ装置
１０  カラオケ本体
１１  制御部
１００  歌唱ピッチ検出部
２００  フライダウン歌唱判定部
３００  提示部
４００  採点処理部
【図１】
2020122949.tif 000003
【図２】
2020122949.tif 000004
【図３】
2020122949.tif 000005
【図４】
2020122949.tif 000006
【図５】
2020122949.tif 000007
【図６】
2020122949.tif 000008
【図７】
2020122949.tif 000009